(57)【要約】    【課題】      検索結果をより見やすくユーザに提供して、検索する際の使い勝手を向上させること。    【解決手段】  統計表５００では、横軸には検索条件として上位語と、その関連語を取る一方、縦軸には、検索条件として上位語と、その上位語の関連語と、その上位語の同義語を取り、横軸と縦軸との２つの条件を満たす検索結果を、横軸にとった検索条件と、縦軸にとった検索条件との交点のセルに示している。例えば、関連語「固体撮像装置」と、上位語「カメラ」との２つの条件を満たす検索結果は、「固体撮像装置」と「カメラ」の検索条件との交点のセルに示された１９９件であり、関連語「ビデオカメラ」と、関連語「固体撮像装置」との２つの条件を満たす検索結果は、「ビデオカメラ」と「固体撮像装置」との交点のセルに示された２０件であることを示している。  【選択図】      図５
2006113733.tif 000002
【特許請求の範囲】
【請求項１】
検索条件としての検索語を入力する検索条件入力ステップと、前記検索語に関連するキーワードをシソーラス辞書から検索するキーワード検索ステップと、前記キーワード検索ステップで検索されたキーワードを用いて検索を行う検索ステップと、前記検索ステップで検索された結果を表形式で出力する作表条件を入力する作表条件入力ステップと、前記検索ステップで検索した結果を前記作表条件にもとづいて表形式で出力する出力ステップとを備えた検索方法。
【請求項２】
前記キーワード検索ステップは、前記検索語の同義語をキーワードとして検索することを特徴とする請求項１記載の検索方法。
【請求項３】
前記キーワード検索ステップは、前記検索語の関連語をキーワードとして検索することを特徴とする請求項１または２記載の検索方法。
【請求項４】
前記キーワード検索ステップは、前記検索語の上位語をキーワードとして検索することを特徴とする請求項１ないし３のいずれかに記載の検索方法。
【請求項５】
前記出力ステップは、前記検索語を強調して出力することを特徴とする請求項１ないし４のいずれかに記載の検索方法。
【請求項６】
前記検索条件入力ステップは、２つの検索語を入力し、前記出力ステップは、前記検索語の一方を縦軸に他方を横軸にした表を出力することを特徴とする請求項１ないし５のいずれかに記載の検索方法。
【請求項７】
前記検索条件入力ステップは、３つの検索語を入力し、前記出力ステップは、第１の検索語を縦軸に、第２の検索語を横軸に、第３の検索語をページ分けした表を出力することを特徴とする請求項１ないし５のいずれかに記載の検索方法。
【請求項８】
前記出力ステップは、前記第３の検索語によってページ分けされた表を重ね合わせた直方体形式の表を立体的に表示し、前記直方体を任意の軸および任意の位置で切断した切断面を表示することを特徴とする請求項７記載の検索方法。
【請求項９】
検索条件としての検索語を入力する検索条件入力ステップと、前記検索語に関連するキーワードをシソーラス辞書から検索するキーワード検索ステップと、前記キーワード検索ステップで検索されたキーワードを用いて検索を行う検索ステップと、前記検索ステップで検索された結果を表形式で出力する作表条件を入力する作表条件入力ステップと、前記検索ステップで検索した結果を前記作表条件にもとづいて表形式で出力する出力ステップとをコンピュータに実行させる検索プログラム。
【請求項１０】
検索条件としての検索語を入力する検索条件入力手段と、前記検索語に関連するキーワードをシソーラス辞書から検索するキーワード検索手段と、前記キーワード検索手段で検索されたキーワードを用いて検索を行う検索手段と、前記検索手段で検索された結果を表形式で出力する作表条件を入力する作表条件入力手段と、前記検索手段で検索した結果を前記作表条件にもとづいて表形式で出力する出力手段とを備えた検索装置。
【発明の詳細な説明】
【技術分野】
【０００１】
本発明は、シソーラス（類語）検索等を用いて検索対象語の同義語や類義語、広義語、狭義語等の関連語を検索する検索方法、検索プログラムおよび検索装置に関する。
【背景技術】
【０００２】
従来の検索装置には、特許情報や技術情報を検索する際、シソーラスのｍ関連度を検索者に意識させずに、システム内部にてシソーラスを更新、または管理して、シソーラスの関連度をより検索者の意図に近い形でダイナミックに変更するようにしたものがある（例えば、特許文献１参照）。
【特許文献１】特開平９−２５９１３９号公報
【発明の開示】
【発明が解決しようとする課題】
【０００３】
しかし、上述の従来装置では、検索をする際、単に、システム内部にてシソーラスの関連度をより検索者の意図に近い形で変更しているに過ぎず、検索結果の見せ方には、何ら触れられてなく、検索する際の使い勝手が良くない、という課題がある。
【０００４】
そこで、本発明は、検索結果をより見やすくユーザに提供して、検索する際の使い勝手を向上させることができる検索方法、検索プログラムおよび検索装置を提供することを目的としている。
【課題を解決するための手段】
【０００５】
本発明の検索方法は、検索条件としての検索語を入力する検索条件入力ステップと、検索語に関連するキーワードをシソーラス辞書から検索するキーワード検索ステップと、キーワード検索ステップで検索されたキーワードを用いて検索を行う検索ステップと、検索ステップで検索された結果を表形式で出力する作表条件を入力する作表条件入力ステップと、検索ステップで検索した結果を作表条件にもとづいて表形式で出力する出力ステップとを備える。
【０００６】
この方法により、検索条件として指定した検索語に関連するキーワードを用いて実際の検索を行うことができ、もれの少ない検索が可能となる。
【０００７】
また、本発明の検索方法は、キーワード検索ステップは、検索語の同義語をキーワードとして検索する。
【０００８】
この方法により、検索語と同様の内容を持つものを対象とする検索ができる。
【０００９】
さらに、本発明の検索方法は、キーワード検索ステップは、検索語の関連語をキーワードとして検索する。
【００１０】
この方法により、検索語の関連する分野を含めた検索を同時に行うことができる。
【００１１】
さらに、本発明の検索方法は、キーワード検索ステップは、検索語の上位語をキーワードとして検索する。
【００１２】
この方法により、検索語で指定した分野を全体的に網羅した検索を行うことができる。
【００１３】
さらに、本発明の検索方法は、出力ステップは、検索語を強調して出力する。
【００１４】
この方法により、実際に指定した検索語での検索結果とその用語に関連するキーワードでの検索結果を容易に比較することができる。
【００１５】
さらに、本発明の検索方法は、検索条件入力ステップは、２つの検索語を入力し、出力ステップは、検索語の一方を縦軸に他方を横軸にした表を出力する。
【００１６】
この方法により、行または列によって直感的かつ総括的な比較ができる。
【００１７】
さらに、本発明の検索方法は、検索条件入力ステップは、３つの検索語を入力し、出力ステップは、第１の検索語を縦軸に、第２の検索語を横軸に、第３の検索語をページ分けした表を出力する。
【００１８】
この方法により、３つの検索語によっても容易に比較を行うことができる。
【００１９】
さらに、本発明の検索方法は、出力ステップは、第３の検索語によってページ分けされた表を重ね合わせた直方体形式の表を立体的に表示し、直方体を任意の軸および任意の位置で切断した切断面を表示する。
【００２０】
この方法により、３つの検索語とその関連するキーワードも含めた検索結果を任意の条件による表として出力することができ、様々な観点による集計や分析ができる。
【発明の効果】
【００２１】
本発明によれば、検索条件に指定された２つの用語を横軸と縦軸とにして、横軸にとった関連語と縦軸にとった関連語との２つの条件を満たす検索結果を、横軸にとった関連語と縦軸にとった関連語との交点のセルに示した統計表を表示するようにしたので、検索結果をより見やすくユーザに提供することが可能となり、検索する際の使い勝手を向上させることができる。
【発明を実施するための最良の形態】
【００２２】
以下、本発明の実施の形態を図面を用いて説明する。
【００２３】
本実施の形態で、同義語とは指定された用語を表すときに別の表現として用いられる用語であり、関連語とは指定された用語に関連した用語であり、上位語とは指定された用語を表す一般的な用語であるとする。例えば、技術分野においては同義語とは日本語、外来語、外国語、略称などで表現されるある特定の技術用語とし、関連語とはその技術とは異なる手段や方法などを用いて同様の入力から同様の出力を得ることができるような転用可能な技術用語とし、上位語とはその技術を現す一般名詞とすることができる。
【００２４】
図１は、本発明の実施の形態に係る検索装置が適用される検索システムの全体を示す図である。
【００２５】
図１に示すように、この検索システムは、ネットワーク３を介して、サーバ１と、検索装置２とが接続されている。
【００２６】
サーバ１は、特許、実用新案、意匠および商標などの知的財産権関連情報や、それらの公報データ、インターネット上から取り寄せたカタログイメージデータ等を記憶して、配信するものである。
【００２７】
検索装置２は、ＣＰＵ２１と、メモリ２２と、ＣＰＵ２１を動作するための検索プログラムやシソーラス辞書等が格納された記憶手段２３と、表示部２４と、キーボードやマウス等の入力手段２５と、通信Ｉ／Ｆ２６等を有している。
【００２８】
次に、この検索装置２の動作を説明する。
【００２９】
図２は、この検索装置２の動作である検索方法の手順を示すフローチャートである。
【００３０】
まず、検索装置２に電源が入ると、記憶手段２３に格納された本発明に係る検索プログラムが起動して、ＣＰＵ２１がその検索プログラムを実行すると、条件入力画面（図示せず）を表示部２４に表示する（ステップ１００）。
【００３１】
次に、ＣＰＵ２１は、表示部２４に検索条件の入力を促すメッセージを表示して、ユーザに入力手段２５等を用いさせて条件入力画面（図示せず）に、検索条件および作表条件を入力させる（ステップ１１０）。この例では検索条件として「ＣＣＤカメラ」および「警戒システム」を入力し、作表条件としては縦軸や横軸に設定する検索条件や、同義語、関連語および上位語のいずれを表示するかを設定するものとする。
【００３２】
この例では、作表条件として縦軸と横軸の条件のみを設定しているが、検索条件が１つの場合にはそれを縦軸と横軸のいずれに設定するか、また、検索条件が３つの場合には縦軸と横軸以外にページ分けに使用する条件を設定することもできる。
【００３３】
また、関連語や同義語を採用するか、採用するのであれば、表示に採用する語数の制限や、後述する統計表の横軸と縦軸の上位語の欄が空欄になった場合などに空欄に表示する項目を設定することもできる。
【００３４】
ここで、ユーザが設定した作表条件をもとに集計数の表示がない縦軸および横軸、検索条件が３つの場合のページ分けも含めたプレビュー画面を表示することにより、検索実行前に作成される表を確認することができるようにしても良い。
【００３５】
すると、ＣＰＵ２１は、ユーザにより入力された検索条件に基づいてシソーラス辞書の検索を行って検索条件の同義語や関連語などを、実際に検索するためのキーワードとして抽出する（ステップ１２０）。ここで抽出されたキーワードに基づいて、ネットワーク３を介しサーバ１にアクセスして検索を行い（ステップ１３０）、検索結果を表示する（ステップ１４０）。
【００３６】
図３は、本実施の形態による検索結果を示す統計表の一例を示す図である。
【００３７】
図３に示す統計表３００は、作表条件として、横軸に「ＣＣＤカメラ」および「警戒システム」の上位語を設定し、縦軸に「ＣＣＤカメラ」の同義語、関連語および上位語を設定した場合の検索結果を示している。
【００３８】
具体的には、図３に示す統計表３００の場合、横軸は、「ＣＣＤカメラ」および「警戒システム」それぞれの上位語の「カメラ」および「システム」となり、縦軸は、「ＣＣＤカメラ」の上位語である「カメラ」と、「ＣＣＤカメラ」の関連語である「冷却ＣＣＤカメラ」、「電荷結合素子」、「光学器械」、「固体撮像装置」、「ビデオカメラ」および「ＣＣＤ」と、検索条件である「ＣＣＤカメラ」と、「ＣＣＤカメラ」の同義語である「電荷結合素子カメラ」および「電荷結合デバイスカメラ」となる。なお、これらの上位語、関連語および同義語は、上述の通り、ＣＰＵ２１がシソーラス辞書の検索を行うことで得られたキーワードである。
【００３９】
そして、統計表３００の横軸および縦軸に設定された用語を同時に含む検索結果の件数をその縦軸と横軸との交点のセルに表示する。
【００４０】
この例の図３に示す統計表３００の場合、「ＣＣＤカメラ」の上位語である「カメラ」での検索結果は、横軸にとった「カメラ」の検索条件と、縦軸にとった「カメラ」の検索条件との交点のセルに示された６９，４９７件である。
【００４１】
また、「ＣＣＤカメラ」の上位語である「カメラ」と上位語「警戒システム」の上位語である「システム」との２つの条件を共に満たす検索結果は、横軸にとった「システム」の検索条件と、縦軸にとった「カメラ」の検索条件との交点のセルに示された１０，８１３件であり、「ＣＣＤカメラ」の上位語「カメラ」と、「ＣＣＤカメラ」の同義語「電荷結合素子カメラ」との２つの条件を共に満たす検索結果は、横軸にとった「カメラ」の検索条件と、縦軸にとった「電荷結合素子カメラ」の検索条件との交点のセルに示された５２件である。
【００４２】
この例のように検索条件を技術用語にした場合、指定した検索条件の同義語による検索結果から、縦軸に設定された分野において使用されている用語の傾向がわかる。また、指定した検索条件の関連語による検索結果から、縦軸に設定された分野において使用されている関連技術を知ることができる。さらに、指定した検索条件の上位語による検索結果から、縦軸に設定された分野において関連技術も含めた上位の技術がどの程度利用されているかを知ることができる。
【００４３】
この例では検索条件を２つとして縦軸および横軸で検索結果を表示しているが、検索条件を３にして１つの検索条件をページによってわけることにより、３つの検索条件の関連を知ることができる。また、検索条件を１つにすることにより、その検索条件の用語が一般的にはどのように利用されているかを知ることができる。
【００４４】
さらに、この検索結果により自らが文書を作成する場合にはどの用語を利用するのが適切であるのか、その傾向を知ることができる。
【００４５】
図４は、本実施の形態による検索結果を示す統計表の他の例を示す図である。
【００４６】
図４に示す統計表４００は、横軸は「カメラ」および「システム」の同義語を設定し、縦軸は図３に示す統計表３００と同様の設定をして、検索した場合の本実施の形態の検索結果を示している。
【００４７】
具体的には、図４に示す統計表４００の場合、横軸には、検索条件である「カメラ」と、その「カメラ」の同義語である「ＣＣＤカメラ」、「電荷結合素子カメラ」、「電荷結合デバイスカメラ」と、検索条件である「システム」と、その「システム」の同義語である「警報システム」、「警告システム」、「警報方式」、「警告方式」を取る一方、縦軸は、図３に示す統計表３００と同様、「ＣＣＤカメラ」の上位語である「カメラ」と、「ＣＣＤカメラ」の関連語である「冷却ＣＣＤカメラ」、「電荷結合素子」、「光学器械」、「固体撮像装置」、「ビデオカメラ」および「ＣＣＤ」と、検索条件である「ＣＣＤカメラ」と、「ＣＣＤカメラ」の同義語である「電荷結合素子カメラ」および「電荷結合デバイスカメラ」となる。なお、これらの上位語、関連語および同義語は、上述の通り、ＣＰＵ２１がシソーラス辞書の検索を行うこと得られたキーワードである。
【００４８】
そして、統計表４００の場合も図３の統計表３００と同様、縦軸と横軸とに設定された用語を同時に含む検索結果の件数を交点のセルに表示する。
【００４９】
この例は横軸においても縦軸と同様に同義語を設定できることを示すものであり、個々のセルに表示された件数の見方は図３の統計表３００と同様である。
【００５０】
図５は、本実施の形態による検索結果を示す統計表の他の例を示す図である。
【００５１】
図５に示す統計表５００は、横軸は「ＣＣＤカメラ」および「警戒システム」の関連語を設定し、縦軸は図３に示す統計表３００および図４に示す統計表４００と同様の設定をして、検索した場合の本実施の形態の検索結果を示している。
【００５２】
具体的には、図５に示す統計表５００の場合、横軸には、検索条件である「ＣＣＤカメラ」と、「ＣＣＤカメラ」の関連語である「冷却ＣＣＤカメラ」、「電荷結合素子」、「光学器械」、「固体撮像装置」、「ビデオカメラ」、「ＣＣＤ」と、検索条件である「警戒システム」と、「警戒システム」の関連語である「警告」、「警戒」、「監視」を取る一方、縦軸は、図３に示す統計表３００と同様、「ＣＣＤカメラ」の上位語である「カメラ」と、「ＣＣＤカメラ」の関連語である「冷却ＣＣＤカメラ」、「電荷結合素子」、「光学器械」、「固体撮像装置」、「ビデオカメラ」および「ＣＣＤ」と、検索条件である「ＣＣＤカメラ」と、「ＣＣＤカメラ」の同義語である「電荷結合素子カメラ」および「電荷結合デバイスカメラ」となる。なお、これらの上位語、関連語および同義語は、上述の通り、ＣＰＵ２１がシソーラス辞書の検索を行うこと得られたキーワードである。
【００５３】
そして、統計表５００の場合も図３の統計表３００および図４の統計表４００と同様、縦軸と横軸とに設定された用語を同時に含む検索結果の件数を交点のセルに表示する。
【００５４】
この例は横軸においても縦軸と同様に関連語を設定できることを示すものであり、個々のセルに表示された件数の見方は図３の統計表３００および図４の統計表４００と同様である。
【００５５】
なお、図５に示す場合、横軸および縦軸の双方に、同一内容の関連語を検索条件としているので、検索結果を表示するセルが２箇所になり、２箇所に同一内容を表示することになるが、図５に示す場合は、２箇所に同一内容を表示せずに、１箇所のセルにのみ検索結果を表示するようにしている。例えば、図５に示す場合、横軸が関連語の「冷却ＣＣＤカメラ」の場合、縦軸が関連語の「電荷結合素子」以降との検索結果の欄には、または横軸が関連語の「電荷結合素子」の場合、縦軸が関連語の「光学器械」以降との検索結果の欄には、検索結果の表示を省略するようにしている。ここで勿論表示を省略しなくとも良い。
【００５６】
図４では横軸に同義語を、図５では横軸に関連語を設定した場合について説明したが、同様に上位語を設定することもできるし、同義語、関連語および上位語を組み合わせて表示することもできる。組み合わせた場合の表示については縦軸と同様な表示となる。
【００５７】
以上から、ユーザは、図３〜図５に示すような統計表３００〜５００を確認することによって、同義語、関連語および上位語も含めた検索結果を件数の分布状態で確認することができる。
【００５８】
そして、図２に戻り、表示部２４に図３〜図５に示すいずれかの統計表３００〜５００が表示し、この検索結果で満足できるか否かの確認をユーザに促すメッセージを表示し、ユーザに検索結果である統計表３００〜５００を確認させる（ステップ１５０）。
【００５９】
ここで、ユーザが検索結果に満足できないと入力した場合は（ステップ１５０“ＮＯ”）、最初のステップ１１０に戻り、ユーザに再度検索条件および作表条件を入力させる。一方、検索結果に満足したと入力した場合は（ステップ１５０“ＹＥＳ”）、次のステップ１６０の表示範囲の指定処理へ移行する。
【００６０】
そして、表示範囲指定処理では、ＣＰＵ２１は、統計表３００〜５００上における表示範囲を指定するように促すメッセージを出して表示範囲を指定させる（ステップ１６０）。
【００６１】
ユーザは、そのメッセージに対して表示部２４に図３〜図５に示すいずれかの統計表３００〜５００に表示された回答結果について、その統計表３００〜５００上にて、各検索条件の検索結果を示すセルの一部（セルが１または複数の場合を含む）、あるいは全部を指定する。ＣＰＵ２１は、統計表３００〜５００上のセルが特定範囲の個別のみ指定されたか、あるいは、全範囲が指定されたかを判断する。
【００６２】
次いで、ＣＰＵ２１は、さらにユーザに絞込検索を行うか否かを選択させるメッセージを表示し、ユーザから絞込検索の指示の入力を受け付ける（ステップ１７０）。
【００６３】
ここで、ユーザより絞込検索の指示が入力された場合は（ステップ１７０“ＹＥＳ”）、ステップ１１０に戻り、絞込検索のための条件および作表条件を再度ユーザに入力させるため、条件入力画面を表示して、ユーザに、絞込検索のための新たな検索条件と、作表条件とを入力させる処理を繰り返す。
【００６４】
このようにして、絞込検索のため新たに指定した検索条件と作表条件とに基づいて、上述の処理により、図３〜図５に示すような統計表３００〜５００を作成することができ、ユーザが希望する検索結果を得ることが出来る。
【００６５】
これに対し、ユーザより絞込検索の指示が入力せず（ステップ１７０“ＮＯ”）、出力指示が入力された場合には（ステップ１８０“ＹＥＳ”）、ＣＰＵ２１は、その出力指示に従って、出力を行う（ステップ１９０）。また、出力指示が入力されない場合は（ステップ１８０“ＮＯ”）ステップ１７０に戻り、絞込検索を受け付ける状態となる。
【００６６】
出力の仕方としては、ステップ１６０にて、図３〜図５に示すいずれかの統計表３００〜５００上にて、各検索条件の検索結果を示すセルの一部（セルが１または複数の場合を含む）、あるいは全部が指定されているので、その指定されたセルの検索結果について、一覧リストとして、あるいは個別案件毎のデータとして、電子データや、プリント出力される。
【００６７】
図６は、本実施の形態による３つの用語を用いた場合の検索結果を示す統計表の例を示す図である。
【００６８】
図６に示す統計表６００は、横軸は「警戒システム」に関するキーワード、縦軸は「ＣＣＤカメラ」、ページは「セキュリティ」に関するキーワードとし、このページは「セキュリティ」の同義語、関連語および上位語が複数のページとして表示されている。また、ページの任意の位置での縦軸と横軸との統計表が表示できることを示すため、この例ではページとして設定された検索条件である「セキュリティ」の関連語、「保安」の統計表が中程に示されている。
【００６９】
このように、検索条件に３つの用語が指定された場合には２つの用語を縦軸と横軸とにして、１つの用語により複数の表を作成することにより３つの用語による検索結果の統計表も表示することができる。表示の方法としてはページを分けて表示し、出力する場合もページを分けて出力することができる。また、そのページを重ねて直方体としたものを立体的に表示し、それを任意の平面で切った切り口を表示することによりその平面におけるページの縦軸と横軸の２つの用語による統計表を出力することもできる。この直方体における切り口をＸ軸、Ｙ軸およびＺ軸の任意の軸に対して垂直な平面で切った切り口を表示することにより、３つの用語の任意の用語の１つのキーワードに対する残りの２つの用語のキーワードによる統計表を出力することができる。
【００７０】
従って、本実施の形態によれば、検索条件に指定された２つの用語を横軸と縦軸とにして、横軸にとった検索条件と、縦軸にとった検索条件との２つの検索条件を満たす検索結果を、横軸にとった検索条件と、縦軸にとった検索条件との交点のセルに示した統計表を表示するようにしたので、検索結果をより見やすくユーザに提供することができ、検索する際の使い勝手を向上させることが可能となる。
【００７１】
また、本実施の形態によれば、セルを１または複数指定して再絞込検索を指定すると、指定された１または複数のセルを特定する横軸の検索条件と、縦軸の検索条件との内で、再絞込検索を行うようにしたので、セルに表示された検索結果を参照しながら絞込検索範囲を指定して再度絞込検索を実行することができ、検索結果をより見やすく、かつ、利用し易くしてユーザに提供することができ、検索する際の使い勝手をより向上させることが可能となる。
【００７２】
なお、この例ではセルを指定することにより表示範囲の指定を行っているが、検索結果の件数を指定することにより、ある一定数以上のみを表示することもできる。同様にある一定数以下のみを表示することもできる。
【００７３】
また、統計表の特定の行や列のみを指定して表示することができる。これはチェックボックスなどを利用することにより実現することができる。
【００７４】
さらに、ここで指定した行や列を記憶手段に記憶することにより、この記憶手段に記憶された用語の選択条件に基づいて表示すべき項目を指定することもできる。これによってユーザが頻繁に利用しているキーワードを選択して他の条件と組み合わせた表示もできる。
【００７５】
さらに、シソーラス辞書を用いてキーワードとして検索された回数を記憶することもできる。これによってユーザが頻繁に利用しているキーワードを選択して他の条件と組み合わせた表示もできる。
【００７６】
さらに、シソーラス辞書にない関連する用語について独自に入力してシソーラス辞書と異なる記憶手段に保存し、シソーラス辞書と同時に利用することにより、シソーラス辞書にない用語の関連についても同時に検索を行い、同一の統計表に表示することができる。
【産業上の利用可能性】
【００７７】
本発明に係る検索装置、検索方法、および検索プログラムによれば、検索する際の使い勝手を向上させることができる、という効果を有し、特許や実用新案、意匠等の知的所有権情報や、図書館の文献情報等、各種情報を検索する検索装置、検索方法、および検索プログラムに有用である。
【図面の簡単な説明】
【００７８】
【図１】本発明の実施の形態に係る検索装置が適用される検索システムの全体を示す図
【図２】本発明の実施の形態に係る検索装置の動作である検索方法の手順を示すフローチャート
【図３】本実施の形態による検索結果を示す統計表の一例を示す図
【図４】本実施の形態による検索結果を示す統計表の他の例を示す図
【図５】本実施の形態による検索結果を示す統計表の他の例を示す図
【図６】本実施の形態による３つの用語を用いた場合の検索結果を示す統計表の例を示す図
【符号の説明】
【００７９】
１  サーバ
２  検索装置
３  ネットワーク
【図１】
2006113733.tif 000003
【図２】
2006113733.tif 000004
【図３】
2006113733.tif 000005
【図４】
2006113733.tif 000006
【図５】
2006113733.tif 000007
【図６】
2006113733.tif 000008